(57)【要約】ネットワークが、データ・チャネル上でのアップリンク・パケット伝送を移動局にスケジュールし、制御チャネル上で移動局からアップリンク・メッセージを受信し、データ・チャネル上で伝送をする移動局に対して望ましい電力をアップリンク・メッセージから決定し、その後、スケジュール済みのアップリンク・パケット伝送へのゼロ電力割り当て又はフル電力割り当てのいずれかを命令する電力制御メッセージを移動局へ伝送する。移動局は、電力制御メッセージをネットワークから受信し、続いてゼロ電力が割り当てられたのかフル電力が割り当てられたのかを電力制御メッセージから決定する。ゼロ電力の場合、移動局は、データ・チャネル上でのアップリンク伝送に関する新たな電力制御コマンドを受信するまでデータ・チャネル上での伝送を延期する。フル電力の場合、移動局は、制御チャネル上の電力に関係なくデータ・チャネル上でユーザ・データを伝送する。【選択図】図４
2008541596.tif 000002
【特許請求の範囲】
【請求項１】
ネットワーク構成要素を動作させる方法であって、
無線データ・チャネル上でのアップリンク・パケット伝送をユーザ装置にスケジュールすることと；
スケジュールされた前記アップリンク・パケット伝送へのゼロ電力割り当てを命令するメッセージを、前記ユーザ装置へ伝送することと
を含む方法。
【請求項２】
前記メッセージは第１ビット・シーケンスを含み、前記方法は、
前記第１ビット・シーケンスを前記ゼロ電力割り当てに関連付け、第２ビット・シーケンスを、前記無線データ・チャネルとは別のチャネル上の電力に対して相対的であるもう１つの電力割り当てにさらに関連付ける、内蔵のルックアップ表またはアルゴリズムから、前記第１ビット・シーケンスを決定すること
をさらに含む、請求項1に記載の方法。
【請求項３】
前記第１ビット・シーケンスおよび前記第２ビット・シーケンスはそれぞれ、E-DPDCH/DPCCH電力比信号伝達用の複数ビットを含み、前記別のチャネルは前記DPCCHを含む、請求項2に記載の方法。
【請求項４】
前記ルックアップ表または前記アルゴリズムは、最大可能電力での前記データ・チャネル上における伝送を命令するフル電力割り当てに関連付けられた第３ビット・シーケンスをさらに含む、請求項2に記載の方法。
【請求項５】
前記ユーザ装置へメッセージを伝送することは絶対グラント・チャネル上で伝送することを含み、前記無線データ・チャネルは拡張専用トランスポート・チャネルを含む、請求項1に記載の方法。
【請求項６】
前記スケジュールすることおよび前記伝送することは、どちらも基地送受信局による、請求項1に記載の方法。
【請求項７】
移動局に電力制御を提供することを目的とした動作を実行させるべく、情報担持媒体に有形に具現化されて、デジタル・データ・プロセッサにより実行可能である機械可読命令のプログラムであって、前記動作は、
無線データ・チャネル上でのアップリンク・パケット伝送をユーザ装置にスケジュールした後に、ゼロ電力割り当てに関連付けられたビット・シーケンスを決定するためにデータ格納媒体にアクセスすることと；
決定された前記ビット・シーケンスを含み、スケジュールされた前記アップリンク伝送に関する電力制御メッセージを、前記ユーザ装置へ伝送することと
を含む、プログラム。
【請求項８】
決定された前記ビット・シーケンスは第１ビット・シーケンスを含み、前記データ格納媒体は、前記無線データ・チャネルとは別のチャネル上の電力に対して相対的なもう１つの電力割り当てに関連付けられた、第２ビット・シーケンスをさらに含む、請求項7に記載のプログラム。
【請求項９】
前記第１ビット・シーケンスおよび前記第２ビット・シーケンスはそれぞれ、E-DPDCH/DPCCH電力比信号伝達用の複数ビットを含み、前記別のチャネルは前記DPCCHを含む、請求項8に記載のプログラム。
【請求項１０】
前記データ格納媒体は、最大可能電力での前記データ・チャネル上における伝送を命令するフル電力割り当てに関連付けられた第３ビット・シーケンスをさらに含む、請求項8に記載のプログラム。
【請求項１１】
前記伝送することは絶対グラント・チャネル上で前記電力制御メッセージを伝送することを含み、前記無線データ・チャネルは拡張専用トランスポート・チャネルを含む、請求項7に記載のプログラム。
【請求項１２】
データ・プロセッサと、
データ関連付け、および前記データ・プロセッサにより実行可能である複数のコンピュータ命令を格納する記憶装置と、
につながれた送受信機を含むネットワーク構成要素であって、
前記データ関連付けは、第１ビット・シーケンスとゼロ電力割り当てとの関連付けを含み；
前記実行可能なコンピュータ命令は、前記送受信機に、データ・チャネル上でのアップリンク・パケット伝送がスケジュールされているユーザ装置へ、前記第１ビット・シーケンスを含む電力制御メッセージを送信させるためのものである、
ネットワーク構成要素。
【請求項１３】
前記データ関連付けは、第２ビット・シーケンスと、前記データ・チャネルとは別のチャネル上の電力に対して相対的なもう１つの電力割り当てとの関連付けをさらに含む、請求項12に記載のネットワーク構成要素。
【請求項１４】
前記第１ビット・シーケンスおよび前記第２ビット・シーケンスはそれぞれ、E-DPDCH/DPCCH電力比信号伝達用の複数ビットを含み、前記別のチャネルは前記DPCCHを含む、請求項13に記載のネットワーク構成要素。
【請求項１５】
前記データ関連付けは、最大可能電力での前記データ・チャネル上における伝送を命令するフル電力割り当てに関連付けられた第３ビット・シーケンスをさらに含む、請求項13に記載のネットワーク構成要素。
【請求項１６】
前記電力制御メッセージは絶対グラント・チャネル上で送信され、前記データ・チャネルは拡張専用トランスポート・チャネルを含む、請求項12に記載のネットワーク構成要素。
【請求項１７】
前記実行可能なコンピュータ命令はさらに、前記データ・チャネル上での前記アップリンク・パケット伝送を前記ユーザ装置にスケジュールするためのものである、請求項12に記載のネットワーク構成要素。
【請求項１８】
複数のビット・シーケンスと複数の電力割り当てとの関連付けを格納する手段であって、第１ビット・シーケンスはゼロ電力割り当てに関連付けられ、第２ビット・シーケンスは相対電力割り当てに関連付けられている、前記手段と；
アップリンク・データ・チャネルへのゼロ電力割り当てをユーザ装置に命令するべく、電力制御メッセージ中で前記第１ビット・シーケンスを伝送する手段と
を含む装置。
【請求項１９】
前記格納手段は、コンピュータ可読格納媒体を含み；
前記伝送手段は、プロセッサと前記コンピュータ可読格納媒体とにつながれた、制御チャネルの電力に一部基づいて選択された前記第１ビット・シーケンスを含めるために前記電力制御メッセージをコンパイルし、前記メッセージを絶対グラント・チャネル上にて無線で送信する送受信機を含む、請求項18に記載の装置。
【請求項２０】
移動局を動作させる方法であって、
データ・チャネル上でのアップリンク伝送に関する電力制御コマンドを、ネットワーク構成要素から受信することと；
前記電力制御コマンドからゼロ電力割り当てを決定することと；
前記決定への応答として、前記データ・チャネル上でのアップリンク伝送に関する新たな電力制御コマンドを受信するまで、前記データ・チャネル上での伝送を延期することと
を含む方法。
【請求項２１】
前記電力制御コマンドは第１ビット・シーケンスを含み、前記決定することは、前記第１ビット・シーケンスを前記ゼロ電力割り当てに関連付ける内蔵のルックアップ表またはアルゴリズムにアクセスすることを含み、前記ルックアップ表または前記アルゴリズムは、第２ビット・シーケンスと、前記無線データ・チャネルとは別のチャネル上の電力に対して相対的なもう１つの電力割り当てとの関連付けをさらに含む、請求項20に記載の方法。
【請求項２２】
前記第１ビット・シーケンスおよび前記第２ビット・シーケンスはそれぞれ、E-DPDCH/DPCCH電力比信号伝達用の複数ビットを含み、前記別のチャネルは前記DPCCHを含む、請求項21に記載の方法。
【請求項２３】
前記ルックアップ表または前記アルゴリズムは、最大可能電力での前記データ・チャネル上における伝送を命令するフル電力割り当てに関連付けられた第３ビット・シーケンスをさらに含む、請求項21に記載の方法。
【請求項２４】
前記第３ビット・シーケンスは、移動局の最大可能電力でユーザ・データを伝送するよう命令する、請求項20に記載の方法。
【請求項２５】
前記電力制御コマンドは絶対グラント・チャネル上で受信され、前記データ・チャネルは拡張専用トランスポート・チャネルを含む、請求項20に記載の方法。
【請求項２６】
移動局において伝送電力を制御することを目的とした動作を実行させるべく、情報担持媒体に有形に具現化されて、デジタル・データ・プロセッサにより実行可能である機械可読命令のプログラムであって、前記動作は、
移動局において、データ・チャネル上でのアップリンク伝送に関する電力制御コマンドをネットワーク構成要素から受信することと；
前記電力制御コマンドからゼロ電力割り当てを決定することと；
前記決定への応答として、前記データ・チャネル上でのアップリンク伝送に関する新たな電力制御コマンドを受信するまで、前記データ・チャネル上での伝送を延期することと
を含む、プログラム。
【請求項２７】
前記電力制御コマンドは第１ビット・シーケンスを含み、前記決定することは、前記第１ビット・シーケンスを前記ゼロ電力割り当てに関連付ける内蔵のルックアップ表またはアルゴリズムにアクセスすることを含み、前記ルックアップ表または前記アルゴリズムは、第２ビット・シーケンスと、前記無線データ・チャネルとは別のチャネル上の電力に対して相対的なもう１つの電力割り当てとの関連付けをさらに含む、請求項26に記載のプログラム。
【請求項２８】
前記第１ビット・シーケンスおよび前記第２ビット・シーケンスはそれぞれ、E-DPDCH/DPCCH電力比信号伝達用の複数ビットを含み、前記別のチャネルは前記DPCCHを含む、請求項27に記載のプログラム。
【請求項２９】
前記ルックアップ表または前記アルゴリズムは、最大可能電力での前記データ・チャネル上における伝送を命令するフル電力割り当てに関連付けられた第３ビット・シーケンスをさらに含む、請求項27に記載のプログラム。
【請求項３０】
前記電力制御コマンドは絶対グラント・チャネル上で受信され、前記データ・チャネルは拡張専用トランスポート・チャネルを含む、請求項26に記載のプログラム。
【請求項３１】
前記第３ビット・シーケンスは、移動局の最大可能電力でユーザ・データを伝送するよう命令する、請求項26に記載のプログラム。
【請求項３２】
データ・プロセッサと、データ関連付け、および前記データ・プロセッサにより実行可能である複数のコンピュータ命令を格納する記憶装置とにつながれた送受信機
を含む移動局であって、
前記実行可能なコンピュータ命令は、データ・チャネル上でのアップリンク伝送に関する電力制御コマンドを受信したときに、前記プロセッサに前記電力制御コマンドおよび前記記憶装置からゼロ電力割り当てを決定させるため；および
前記決定への応答として、前記データ・チャネル上でのアップリンク伝送に関する新たな電力制御コマンドを受信するまで、前記データ・チャネル上での伝送を延期させるためのものである、
移動局。
【請求項３３】
前記電力制御コマンドは第１ビット・シーケンスを含み、前記プロセッサは、前記第１ビット・シーケンスを前記ゼロ電力割り当てに関連付ける、前記内蔵のデータ関連付けにアクセスすることで前記電力割り当てを決定し、前記内蔵のデータ関連付けは、第２ビット・シーケンスと、前記無線データ・チャネルとは別のチャネル上の電力に対して相対的なもう１つの電力割り当てとの関連付けをさらに含み、前記内蔵のデータ関連付けは、ルックアップ表またはアルゴリズムの形式である、請求項32に記載の移動局。
【請求項３４】
前記第１ビット・シーケンスおよび前記第２ビット・シーケンスはそれぞれ、E-DPDCH/DPCCH電力比信号伝達用の複数ビットを含み、前記別のチャネルは前記DPCCHを含む、請求項33に記載の移動局。
【請求項３５】
前記ルックアップ表または前記アルゴリズムは、最大可能電力での前記データ・チャネル上における伝送を命令するフル電力割り当てに関連付けられた第３ビット・シーケンスをさらに含む、請求項33に記載の移動局。
【請求項３６】
前記電力制御コマンドは絶対グラント・チャネル上で受信され、前記データ・チャネルは拡張専用トランスポート・チャネルを含む、請求項32に記載の移動局。
【請求項３７】
前記第３ビット・シーケンスは、前記移動局に、その最大可能電力でユーザ・データを伝送するよう命令する、請求項32に記載の移動局。
【請求項３８】
第１ビット・シーケンスとゼロ電力割り当てとの関連付けを格納する手段と；
データ・チャネル上でのアップリンク伝送への前記ゼロ電力割り当てを決定するために、電力制御メッセージ中で受信された前記第１ビット・シーケンスを用いて前記格納手段にアクセスする手段と；
前記決定への応答として、前記データ・チャネル上でのアップリンク伝送に関する新たな電力制御コマンドを受信するまで、前記データ・チャネル上での伝送を延期することと
を含む装置。
【請求項３９】
前記格納手段は、コンピュータ可読格納媒体を含み；
前記決定手段は、前記格納媒体につながれたプロセッサを含み；
前記伝送延期手段は、送受信機につながれた前記プロセッサを含む、
請求項38に記載の装置。
【請求項４０】
伝送電力を移動局へ割り当てる方法であって、
ネットワークにおいて、
データ・チャネル上でのアップリンク・パケット伝送を移動局にスケジュールすることと；
制御チャネル上でアップリンク・メッセージを前記移動局から受信することと；
前記データ・チャネル上で伝送をする前記移動局に対し、望ましいゼロ電力を前記アップリンク・メッセージから決定することと；
スケジュールされた前記アップリンク・パケット伝送へのゼロ電力割り当てを命令する電力制御メッセージを、前記移動局へ伝送することと；
を含み、
前記移動局において、
前記電力制御メッセージを前記ネットワークから受信することと；
前記電力制御メッセージから前記ゼロ電力割り当てを決定することと；
前記移動局による決定への応答として、前記データ・チャネル上でのアップリンク伝送に関する新たな電力制御コマンドを受信するまで、前記データ・チャネル上での伝送を延期することと
を含む方法。
【発明の詳細な説明】
【技術分野】
【０００１】
本発明の教示は、全般的に無線通信システムに関し、特に、ユーザ装置（UE：user equipment）からネットワーク・ノードへの無線リンク上における伝送が電力制御される、デジタル無線通信システムに関する。
【背景技術】
【０００２】
本明細書で使用される次の略語は、以下のように定義される。
DCH       専用トランスポート・チャネル（Dedicated Transport Channel）
DL        ダウンリンク（Down Link：Node Bからユーザ装置）
DPCCH     専用物理制御チャネル（Dedicated Physical Control Channel）
E-AGCH    E-DCH絶対グラント・チャネル（E-DCH Absolute Grant Channel）、DLスケジューリング制御情報を運ぶ
E-DCH     拡張（アップリンク）専用チャネル（Enhanced （uplink） Dedicated Channel）
E-DPCCH   E-DCH専用物理制御チャネル（Dedicated Physical Control Channel）、アップリンクにおいてE-DPDCHに関連した制御情報を運ぶ
E-DPDCH   E-DCH専用物理データ・チャネル（Dedicated Physical Data Channel）、アップリンクにおいてE-DCHデータ・パケットを運ぶ
E-RGCH    E-DCH相対グラント・チャネル（Relative Grant Channel）、DLスケジューリング制御情報を運ぶ
FDD       周波数分割双方向（Frequency Division Duplex）
HSUPA     高速アップリンク・パケット・アクセス（High Speed Uplink Packet Access）
Node B    WCDMAの基地送受信局
RNC       無線ネットワーク制御装置（Radio Network Controller）
RRC       無線リソース制御（Radio Resource Control）
UE        ユーザ装置（User Equipment）
UL        アップリンク（Up Link：ユーザ装置からNode B）
WCDMA     広帯域符合分割多重アクセス（Wideband Code Division Multiple Access）
【０００３】
全般的に、無線ネットワーク制御装置RNC、Node Bおよびユーザ装置UEという、通信システムの3つのノードが、これらの教示に関連する。Node Bは、基地送受信局BTS（base transceiver station）と同義と見なされ、UEは、移動局MS（mobile station）と同義と見なされる。RNCおよびNode Bがネットワークの構成要素である一方、UEは、ネットワークと通信はするもののその一部とは見なされない。通常、複数のNode Bが１つのRNCの制御下にあり、通常、複数のUEが１つのNode Bの制御下にある。いかなるパケット交換無線システムにおいても、電力制御は、複数のユーザが同時にシステムにアクセスできるようにするために重要な機能ある。
【０００４】
3GPPのリリース6にあるように、HSUPAは、以下でE-DCHと称されるアップリンク専用トランスポート・チャネルの拡張版を、パケット・データ・トラフィック用に含む。HSUPAにおける１つの重要な拡張は、パケット・スケジューラ機能の一部が、複数のNode Bに分配されることに関する。このような再分配をする理由は、集中的な、非実時間のトラフィックのスケジューリングを、RNCのレイヤ3（L3：Layer 3）を使用するよりも迅速に達成するためである。リンクの適合が速いほど、パケット・データ・ユーザ間でのアップリンク電力リソースの共有効率を高められるということが、基本前提となっている。例えば、あるUEからデータ・パケットが伝送された後は、スケジュール済みの無線リソースを即座に別のUEが利用できるようにすることができる。この手法は、集中的な高データ転送速度のアプリケーションを実行するユーザに高データ転送速度が割り当てられるときの、ノイズ増大の急激な変化（peaked variability）を回避する。
【０００５】
現在、システム・レベルの構成では、パケット・スケジューラはRNCにある。その結果スケジューラの能力は、少なくとも、RNCとUEとの間のRRC信号インタフェースの帯域幅に関わる制約が原因となって、瞬間トラフィックに十分適応できない。したがってパケット・スケジューラは、次のスケジューリング期間における無効ユーザの影響を考慮するために、控えめにアップリンク電力を割り当てるよう設計され、変化に対応するようになっている。しかし、この控えめな手法では、高データ転送速度および長いリリース・タイマ値が割り当てられていると、周波数の面で不十分となる。
【０００６】
E-DCHにより、パケット・スケジューラ機能の多くはNode Bに移されている。これは言い換えれば、Node Bの制御下にあるUE間のアップリンク無線リソースの割り当てを担う、Node Bパケット・スケジューラが定義されたということである。
【０００７】
この種のスケジューリングが効率的に実行されるには、Node BがUEからデータ転送速度のリクエストを取得する必要がある。スケジューリングが決定されると、Node Bは、絶対グラントおよび相対グラントを送信することで、その決定をUEに通知できる。絶対グラント（E-AGCH上）により、E-DCHパケット・データ・チャネル、具体的にはE-DPDCH上でのUE伝送に一定の電力が割り当てられる。この電力は、DPCCHの電力に対して相対的に与えられる（E-DPDCH/DPCCH電力比）。Node Bは、E-DPDCHアップリンク上の電力の変更を、相対グラント・チャネル上でUP／KEEP／DOWNコマンドを使用して命令し、これに対しUEは次のように応答する。UEがUPコマンドを受信すると、UEは、その伝送電力割り当てを一定のステップ・サイズ分増加させ、UEがDOWNコマンドを受信すると、その電力割り当てを一定のステップ・サイズ分低下させる。絶対グラント・チャネルは、E-DPDCH/DPCCH電力比の絶対値を、UEに送る。
【０００８】
現在のところ、DPCCHに対するE-DPDCHの電力（すなわちE-DPDCHとDPCCHとの間の電力比）は、-10, ..., +21dBの範囲で、1dBずつという均一な細かさ（Granularity）で定義されている。つまり、アップリンク電力制御の範囲は、32の1dBずつのステップに定義されているということである。E-RGCH上での各UPコマンドまたはDOWNコマンドは、UEに、E-DPDCHアップリンク上の電力を1dBずつ上げるか、または下げるよう指示する。
【０００９】
「FDD拡張アップリンク・ステージ2;総合説明書（FDD Enhanced Uplink Stage 2; overall description) (TS25.309)」、および「MAC仕様書(MAC specification)(TS25.321)」は、「ゼロ割り当て」に言及しており、UEがゼロ割り当てを信号で伝えられた場合は伝送が発生してはならないことを意味している。電力ドメインにおいて、ゼロ割り当ては、マイナス無限大のE-DPDCH/DPCCH電力比を暗に示すことになる。
【００１０】
加えて、上記のとおり現在の構成では、アップリンク電力のダイナミック・レンジは31dBに限られていることにも注意されたい。E-DPDCH上の電力に関する絶対グラントはDPCCH上の電力に対して相対的に与えられるため、DPCCH上の電力が非常に低い場合、DPCCH上の電力より＋21dB高いDPDCH上の最大許容電力では、不十分なことがある。無線パケット交換システムにおける電力制御は通信エンティティの近さに左右されるため、このようなことが生じるのは一般的に、UEが比較的Node Bに近いときとなる。
【００１１】
E-AGCHチャネルは、電力比の信号伝達に5ビット使用し、その結果、−10dBから＋21dBまでの、32の異なる値が可能になっているということが現在知られている。
【００１２】
Node Bが（E-AGCHおよび／またはE-RGCHを使用して）、UEへの「ゼロ割り当て」をスケジュールできる必要があるということも知られているが、それがどのように達成されるかは規定されていない。本発明者らが接触したことのある3GPP関係者間でのこれまでの議論の中心は、UEはデータ転送速度と共にスケジュールされ、最低データ転送速度がゼロ・ビット／秒（bps：bit per second）となるということである。本発明者らの知る限り、3GPP関係者らの間で、このような「伝送なし」をUEへ信号伝達することをどう実現するかは、まだ決定されていない。
【００１３】
【非特許文献１】FDD拡張アップリンク・ステージ2；総合説明書（FDD Enhanced Uplink Stage 2; overall description) (TS25.309)
【非特許文献２】MAC仕様書(MAC specification)(TS25.321)
【概要】
【００１４】
ここから説明されるこれらの教示の実施形態に基づき、前述の問題および他の問題が打開され、その他の利点が実現される。
【００１５】
本発明の例示的実施形態に基づき、ネットワーク構成要素を動作させる方法が提供される。本方法において、ユーザ装置に無線データ・チャネル上でのアップリンク・パケット伝送がスケジュールされ、その後、スケジュール済みのアップリンク・パケット伝送へのゼロ電力割り当てを命令するメッセージが、ユーザ装置へ伝送される。
【００１６】
本発明の別の例示的実施形態に基づき、移動局へ電力制御を提供することを目的とした動作を実行するよう、情報担持媒体に有形に具現化されて、デジタル・データ・プロセッサにより実行可能である機械可読命令のプログラムが提供される。この動作は、ユーザ装置が無線データ・チャネル上でのアップリンク・パケット伝送を行うようにスケジュールされた後に、格納媒体にアクセスしてゼロ電力割り当てに関連したビット・シーケンスを決定すること、およびそれに続いて、決定されたビット・シーケンスを含み、スケジュールされたアップリンク伝送に関する電力制御メッセージをユーザ装置へ伝送することを含む。格納媒体は、ルックアップ表、アルゴリズム、またはデータ列を同様に関連付けた任意のものとして、データを格納すればよい。
【００１７】
本発明の別の例示的実施形態に基づき、データ・プロセッサと記憶装置とにつながれた送受信機を含むネットワーク構成要素が提供される。この記憶装置は、データ関連付けとデータ・プロセッサにより実行可能なコンピュータ命令とを格納するためのものである。データ関連付けは、第１ビット・シーケンスとゼロ電力割り当てとの関連付けを含む。実行可能なコンピュータ命令は、送受信機に、データ・チャネル上でのアップリンク・パケット伝送がスケジュールされているユーザ装置へ、第１ビット・シーケンスを含む電力制御メッセージを送信させるためのものである。
【００１８】
本発明の別の例示的実施形態に基づき、ビット・シーケンスと電力割り当てとの関連付けを格納する手段、およびアップリンク・データ・チャネルへの電力割り当てをユーザ装置に命令するために、電力制御メッセージ中で第１ビット・シーケンスを伝送する手段を含む装置が提供される。格納手段において、第１ビット・シーケンスはゼロ電力割り当てに関連付けられ、第２ビット・シーケンスは相対電力割り当てに関連付けられている。
【００１９】
本発明の別の例示的実施形態に基づき、移動局を動作させる方法が提供される。本方法において移動局は、データ・チャネル上でのアップリンク伝送に関する電力制御コマンドをネットワーク構成要素から受信し、当該電力制御コマンドからゼロ電力割り当てを決定する。続いて移動局は、データ・チャネル上でのアップリンク伝送に関する新たな電力制御コマンドを受信するまで、データ・チャネル上での伝送を延期する。
【００２０】
本発明の別の例示的実施形態に基づき、データ・プロセッサと記憶装置とにつながれた送受信機を含む移動局が提供される。この記憶装置は、データ関連付けとデータ・プロセッサにより実行可能なコンピュータ命令とを格納するためのものである。実行可能なコンピュータ命令は、データ・チャネル上でのアップリンク伝送に関する電力制御コマンドを受信したときに、プロセッサに、電力制御コマンドおよび記憶装置からゼロ電力割り当てを決定させるためのものである。続いてこの命令は、移動局に、データ・チャネル上でのアップリンク伝送に関する新たな電力制御コマンドを受信するまで、データ・チャネル上での伝送を延期させる。
【００２１】
本発明の別の例示的実施形態に基づき、移動局において伝送電力を制御することを目的とした動作を実行するよう、情報担持媒体に有形に具現化されて、デジタル・データ・プロセッサにより実行可能である機械可読命令のプログラムが提供される。この動作は、移動局において、データ・チャネル上でのアップリンク伝送に関する電力制御コマンドをネットワーク構成要素から受信すること、および電力制御コマンドからゼロ電力割り当てを決定することを含む。続いてこの動作は、データ・チャネル上でのアップリンク伝送に関する新たな電力制御コマンドを受信するまで、データ・チャネル上での伝送を延期することをさらに含む。
【００２２】
本発明の別の実施形態に基づき、第１ビット・シーケンスとゼロ電力割り当てとの関連付けを格納する手段、および、データ・チャネル上でのアップリンク伝送へのゼロ電力割り当てを決定するよう、電力制御メッセージ中で受信された第１ビット・シーケンスを用いて格納手段にアクセスする手段を含む装置が提供される。さらに、装置は、データ・チャネル上でのアップリンク伝送に関する新たな電力制御コマンドを受信するまで、データ・チャネル上での伝送を延期する手段を含む。
【００２３】
本発明の別の例示的実施形態に基づき、伝送電力を移動局へ割り当てる方法が提供される。本方法においてネットワークは、移動局においてデータ・チャネル上でのアップリンク・パケット伝送をスケジュールし、制御チャネル上で移動局からアップリンク・メッセージを受信し、続いて、アップリンク・メッセージから、データ・チャネル上で伝送をする移動局に対し、望ましいゼロ電力を決定し、その後に、スケジュールされているアップリンク・パケット伝送へのゼロ電力割り当てを命令する電力制御メッセージを、ユーザ装置へ伝送する。移動局はネットワークから電力制御メッセージを受信し、続いてこの電力制御メッセージからゼロ電力割り当てを決定する。次に本方法は、データ・チャネル上でのアップリンク伝送に関する新たな電力制御コマンドを受信するまで、移動局がデータ・チャネル上での伝送を延期することをさらに含む。
【００２４】
種々の実施形態および実装に関するさらなる詳細を、以下で詳しく述べる。
【００２５】
これらの教示の前述の態様およびその他の態様は、以下の詳細な説明を添付の図面と併せて読むことで、さらに明らかとなる。
【詳細な説明】
【００２６】
上記のとおり、本発明の実施形態は無線通信における電力制御に関する。上記の「伝達なし」の信号伝達を実装し得る方法は多数ある。パケット・スケジューラはRNCからNode Bへ移動されたと見なされるため、ある実装では、単にNode Bが特定のUEをE-DPDCH上の伝送にスケジュールせず、その間伝送が発生しないようにすることも考えられるし、あるいは、以前に出した無線リソースの許可で期限が切れていないものが取り消されることを、UEに信号で伝えるのも可能である。本発明者らは、電力制御方式を使用する別の手法を決定した。上記の背景を考え、ゼロ電力で伝送するよう、または必ずしも＋21dBに限られない電力で伝送するようUEに信号で伝えることは、Node Bの利点となると判断した。現在のところ、どちらも、HSUPAシステムの信号伝達方式の範囲内では不可能である。しかし、本願明細書の教示はHSUPAシステムに限定されない。
【００２７】
図1に示されている構成要素のブロックは機能上のものであり、下記の機能は、図1を参照して説明されるとおりに、RNC10、BTS30またはMS40の単一の物理的構成要素によって実行されてもよいし、されなくてもよい。図1および2を参照すると、無線ネットワーク制御装置RNC10は、Node B、すなわち基地送受信局BTS30につながれており、Node B30もまた無線リンクを通してユーザ装置、すなわち移動局MS40につながれている。MS40は、無線周波数（RF：radio frequency）送受信機42、データ・プロセッサ（DP：data processor）44、およびDP44により実行されるプログラムが格納された記憶装置（M：memory）46を含むと想定される。BTS30も、送受信機、データ・プロセッサおよび記憶装置を含むと想定され、RNCも同様に、データ・プロセッサおよび記憶装置を含むと想定される。種々の記憶装置に格納されたコンピュータ・プログラムは、つながっているデータ・プロセッサを本発明の例示的実施形態に従って動作させる複数のプログラム命令を含む。BTS30は、本発明の例示的実施形態に従って動作するパケット・スケジューラ32を含むと想定されるが、パケット・スケジューラ機能の一部または全ては、RNC10にあってもよい。
【００２８】
一般的に、MS40の種々の実施形態は、セル式電話、無線通信機能を有する携帯情報端末（PDA：personal digital assistant）、無線通信機能を有する携帯用コンピュータ、無線通信機能を有するデジタル・カメラなどの画像キャプチャ・デバイス、無線通信機能を有するゲーム・デバイス、無線通信機能を有する音楽記憶再生機器、無線でのインターネット・アクセスおよびブラウジングが可能なインターネット機器、ならびにそのような機能の組み合わせが組み込まれた携帯用ユニットまたは携帯端末を含み得るが、これらに限定はされない。MS40は、無線ローカル・エリア・ネットワーク（LAN（local area network）もしくはWLAN（wireless LAN））などの無線ネットワーク、または公衆交換電話網につながれた移動電話網と無線で通信する。移動電話網は、複数のBTS30および少なくとも１つのRNC10を含み、MS40は、一度に１つのBTS30に制御される。WLANまたはLANにおいて、MS40が通信するネットワーク構成要素に異なる名前が付けられていることもあるが、無線ネットワークがパケット交換方式である限り、本発明の電力制御の態様については、該構成要素は本願明細書で説明されるBTS30と同様に機能する。MS40は無線ネットワークの一部とは見なされない。無線通信機能は下記のように、電力制御された伝送機能を含むと想定される。
【００２９】
本発明の限定する意味のない例示的実施形態に基づき、E-AGCHチャネル上の特定のビット・パターンが、MS40への「ゼロ割り当て」または「E-DCH伝送なし」に該当する。さらに、本発明の限定する意味のない例示的実施形態に基づき、この目的のために、E-AGCH上でE-DPDCH/DPCCH電力比を信号伝達するために現在3GPPにおいて使用されている5ビットのうちの、特定のビット・パターンが指定される。
【００３０】
さらに、本発明の限定する意味のない例示的実施形態に基づき、E-AGCHチャネル上の特定のビット・パターンが、「電力比制限なし」または「電力比＋xxdB以上」に該当する。さらに、本発明の限定する意味のない例示的実施形態に基づき、この目的のために、E-AGCH上でE-DPDCH/DPCCH電力比を信号伝達するために使用されている5ビットのうちの、特定のビット・パターンが指定される。
【００３１】
限定する意味のない実装では、最大E-DPDCH/DPCCH電力比を送信するために使用されるE-AGCH上のビットのみが利用される。RNC10、BTS30および／またはMS40は、コンピュータ可読記憶装置46内に、図3で示されているようなルックアップ表を格納するとよい。図3は、単一の図面に示すために2部分に分解された単一のルックアップ表50を示す。表50は、電力値52を一意のビット・シーケンス54に一意的に関連付ける。図を簡潔にするためにルックアップ表が使用されているが、実際のデータは、ルックアップ表、適切な値を生成するアルゴリズム、またはその他のデータ格納形式によって格納されればよい。追加のインデックス番号56が、説明を容易にするために各関連付けに対応して示されている。本発明の要素を現在の3GPP25シリーズ規格に容易に適応させるために、図3のルックアップ表50内の各ビット・シーケンス54には5ビットが含まれている。先に言及したとおり、先行技術では、これらの5ビット・シーケンスはそれぞれ、−10dBから＋21dBまでの電力制御に関連付けられている。図3では、インデックス0で示される１つのビット・シーケンスが、ゼロ電力割り当てに関連付けられるよう、表50が変更されている。さらに表50は、インデックス31で示される別のビット・シーケンスが、フル電力割り当てに関連付けられるよう変更されている。フル電力割り当てでは、MS40は、ネットワークからの電力割り当てで上限を課されない。フル電力割り当ては、MS40がアップリンク・データ・チャネルの電力レベルにおいて制限を受けないこと、またはMS40がアップリンク・データ・チャネル上にて最大電力レベルで伝送するよう命令されたことを意味すると解釈されてもよい。表50は、ゼロ割り当ておよびフル電力割り当てのうちの、一方または両方を含むとよい。あるいは、電力値52とビット・シーケンス54との関連付けは、ルックアップ表50でなく、値およびビット・シーケンスを生成する内蔵のアルゴリズムによるものであってもよい。加えて、データ列52、54を互いに関連付けする他の実施形態が使用されてもよい。ゼロ電力のビット・シーケンスがインデックス0で示されているものである必要はないということも、述べる必要があるであろうか。
【００３２】
なお、表50内の、電力値52に対するビット・シーケンス54の他の関連付けは、すべて相対電力値である。これらの電力値52に、他の何らかのチャネル（DPCCHなど）上の電力を乗じると、MS40のアップリンク・データ・チャネル（E-DPDCHなど）上での伝送に対する電力レベル割り当てになる。このように、これらの電力値は相対的であり、別の電力に対して相対的な電力を定義する。インデックス0のゼロ・グラント、およびインデックス31の上限なしのグラントに対応する電力値は、DPCCH上の電力とは無関係である。インデックス31のフル電力割り当ては、移動局にその全電力能力で伝送するよう命令する。この電力能力は、DPCCHまたは他のどのチャネル上の電力とも無関係である。何らかの信号伝達プロトコルを実現するソフトウェアは別にして、MSの信号電力出力の上限をつくるものである、MS40の最大可能電力のソフトウェアによる制約が、当該最大可能電力を定義するために考慮されるとよい。
【００３３】
図2を見ると、DPCCHと示されているとおり、MS40は、制御メッセージ60を制御チャネル上でアップリンクにて伝送する。閉ループ、開ループまたは混成物など、先行技術の種々の手法が、制御メッセージ60の伝送用電力を決定するために使用され得る。アップリンク制御メッセージ60用の電力決定方法は本発明には関連しないが、ネットワークのBTS30がMS40へ、その電力設定値をいくらにする必要があるかについて命令を送信するものと考える。BTS30はアップリンク制御メッセージ60を受信し、そのメッセージ60の受信電力についての解析から、当該MS40に関してトラフィック・チャネル上の望ましい伝送電力がいくらであるべきかを決定する。続いてBTS30は、その記憶装置に格納されているルックアップ表50にアクセスし、望ましい伝送電力を達成するための比率（例えば絶対グラント値52）を決定して、そのグラント値52に関連付けられているビット・シーケンスを選択する。BTS30は、電力制御メッセージ62、すなわち選択されたビット・シーケンスを含むコマンドを、MS40へ伝送する。なお、電力制御メッセージは、図2ではE-AGCH上にあるが、任意のダウンリンク・チャネル上であればよい。
【００３４】
MS40は、電力制御メッセージ62からビット・シーケンスを受信し、それを使用して、ローカルに格納されているMS40の表50またはアルゴリズムにアクセスし、１つのグラント値52を選択して、専用トラフィック・チャネル（E-DPDCHとして示されている）上でのユーザ・データ64のアップリンク伝送用電力を設定する。電力制御メッセージ62のビット・シーケンスがフル電力割り当てに対応する場合、MS40はそれに応じて増幅率を設定する。電力制御メッセージ62のビット・シーケンスがゼロ電力割り当てに対応する場合、MS40はアップリンク専用トラフィック・チャネル上でのスケジュール済みの伝送をすべて延期し、BTS30からのゼロ以外の電力割り当てを待つ。3GPP25シリーズ規格の方式では、このゼロ以外の電力割り当ては、E-AGCH上での新たな絶対グラントであればよい。ゼロ電力割り当ては、MS40に、ネットワークからゼロ以外の新たな割り当てを受信するまで、必要なトラフィック・チャネル上でのアップリンク伝送を延期させる。
【００３５】
図3の教示の一変形では、ゼロ電力割り当ておよび／またはフル電力割り当てを、相対グラント・チャネルE-RGCH上でも同様に有効にしてもよいし、または該チャネル上で代わりに有効にしてもよい。3GPP TS 25.321に対する今後の修正で、相対グラントによるゼロからゼロ以外の電力への移行が許可されなくなることも予想されるが、このような実施形態も本発明の実施形態の範囲内に入る。現在のシステムの信号伝達プロトコルでは、相対グラント・コマンドUP／KEEP／DOWNは、1dBの均一な細かさに従うということを想起されたい。DOWN TO ZEROコマンドおよび／またはUP TO FULLコマンドという、１つまたは２つの追加コマンドが加えられてもよい。その結果、絶対グラント・チャネル上で命令された電力に関係なく、相対グラント・チャネル上での単一の調整でMS40のアップリンク・トラフィック・チャネル上の電力をゼロまたはフルのいずれかに変更できるようになり、絶対グラント・チャネル上で命令された電力から−10dBおよび＋21dBの範囲しか実現できないにも関わらず、多数のUPまたはDOWNコマンドを通して１つずつ進める必要はなくなる。実装は根本的に異なるものではなく、相対グラント・チャネル上での指定されたビット・パターンがDOWN TO ZEROを、加えて／または、相対グラント・チャネル上での指定された（別の）ビット・パターンがUP TO FULLを示すことになる。MS40はそれに応じて、アップリンク・トラフィック・チャネル上での伝送を延期するか、またはユーザ・データをアップリンク・トラフィック・チャネル上にてフル電力で伝送するかのどちらかによって、それぞれ応答する。
【００３６】
図4のプロセス図はステップ70から始まり、ここではBTS30がMS40に、専用トラフィック・チャネルのアップリンク・トラフィックをスケジュールする。あるいは、上記のようにRNC10がスケジュールしてもよい。ステップ72でMSは、DPCCHなどにおいて第１の電力設定または電力レベルで、アップリンク制御メッセージ60を送信するとよい。このアップリンク制御メッセージは、専用トラフィック・チャネル上における特定のデータ転送速度のリクエストであってもよい。BTS30はステップ74で、MS40がアップリンク・トラフィック・チャネル上で伝送する際の適切な／望ましい電力レベルを決定する。一実施形態では、ステップ72で任意選択のメッセージから検出された電力に基づいてステップ74の決定が行われる。なお、ステップ70、72、74、の順序は異なってもよく、関連データが格納され、アップリンク制御チャネル上の第１電力と、結果として生じるアップリンク・トラフィック・チャネル上でのMS40による第２電力での伝送（または伝送の延期）との間の、あるコヒーレンス間隔（coherence interval）を上回らなければ、これらのステップが連続している必要はない。BTS30は、図3の表50などから適切なビット・シーケンスを決定する。ゼロ電力割り当ておよびフル電力割り当て両方が有効になっている場合、ステップ74は、起こり得る3つの結果のうちの１つを生じる。
【００３７】
ステップ74の１つの結果は、ステップ76AでBTS30が、MS40への電力制御メッセージ中でゼロ電力割り当てを命令することである。上記の通り、当該電力制御メッセージは、絶対グラント・チャネル上でも相対グラント・チャネル上でもよい。ステップ78Aでは、MS40がゼロ電力割り当てを読み取り、ステップ70でスケジュールされた専用トラフィック・チャネル上での伝送を延期する。伝送の延期は、本願明細書で使用される場合、先行する伝送を必要とせず、先に当該MS40に伝送がスケジュールされていることのみを必要とする。
【００３８】
ステップ74の第２の起こり得る結果は、ステップ76CでBTS30が、MS40への電力制御メッセージ中でフル電力割り当てを命令することである。上記の通り、当該電力制御メッセージは、絶対グラント・チャネル上でも相対グラント・チャネル上でもよい。ステップ78Cでは、MS40がフル電力割り当てを読み取り、ステップ70でスケジュールされていた専用トラフィック・チャネル上で、ユーザ・データをフル電力で伝送する。
【００３９】
ステップ74の第３の起こり得る結果では、ステップ76Bにおいて、ステップ72のアップリンク制御メッセージで使用された電力に対して相対的であり、従ってフル電力でもゼロ電力でもなく先行技術と根本的に異ならないコマンドである電力割り当てを、BTS30が命令する。図3中、インデックス1から30はいずれもこのような電力コマンドを示している。上記の通り、当該電力制御メッセージは、絶対グラント・チャネル上でも相対グラント・チャネル上でもよい。ステップ78Bでは、MS40は相対電力割り当てを読み取り、ステップ72の伝送に用いた電力に対して相対的な、表および電力制御メッセージにより決定されたとおりの電力で、ステップ70でスケジュールされていた専用トラフィック・チャネル上にて、ユーザ・データを伝送する。
【００４０】
BTS30がパケット・スケジューラ機能32も含む場合、上で詳述したものなどの本発明の実施形態により、無線リソースをより効率よく割り当てることができる。しかし、RNC10がパケット・スケジューラ機能を維持し、MS40がアップリンク・トラフィック・チャネル上での伝送をスケジュールされるとそれをBTS30へ信号で伝える、という場合でも、本発明を実施し得る。RNC10とBTS30との間の信号伝達における遅延が追加されることは効率を下げるが、本発明により可能になるゼロ電力割り当ておよび／またはフル電力割り当ては、こうした実施形態でも利点となる。
【００４１】
なお、E-AGCHの実際の実装によっては、E-DPDCH/DPCCH電力比を信号伝達用ビット以外のビットが、UE40へ「ゼロ割り当て」指示および「フル割り当て」指示のうちの一方または両方を伝達するために使用されてもよい。図3に示されている5ビットは、3GPP25シリーズ規格の現信号伝達プロトコルへ、最大限シームレスに統合されると思われる。
【００４２】
一実施形態において、BTS30などのネットワーク構成要素は、スケジュール済みのアップリンク・パケット伝送64への、ゼロ電力割り当て（インデックス0など）またはフル電力割り当て（インデックス32など）のうちの１つを命令するメッセージ62を、UE/MS40へ伝送する。BTS30が、MS40のアップリンク伝送64のスケジューリングも行うと都合がよいが、RNC10が代わりにこれを行ってもよい。具体的に、メッセージ62が第１ビット・シーケンス54を含むとする。BTS30は、第１ビット・シーケンスをゼロ電力割り当て（インデックス0など）またはフル電力割り当て（インデックス31など）に関連付ける内蔵のルックアップ表50から、第１ビット・シーケンスを選択する。ルックアップ表50では、第２ビット・シーケンス54（インデックス1から30のいずれかなど）が、無線データ・チャネル（DPDCHなど）以外のチャネル上の電力に対して相対的な、明示的なゼロ以外の電力割り当て54にさらに関連付けられているということは、注目に値する。図3の表50において、1から30までのインデックスはそれぞれ明示的であり、制御チャネル上の電力に対しゼロ以外であるが、これは、BTS30が当該制御チャネル電力の割合に基づき値54を決定するためには、当該制御チャネル上の電力がゼロ以外である必要があるためである。BTS30内の表50は、ビット・シーケンスに関連付けられたゼロ割り当てのみ、ビット・シーケンスに関連付けられたフル割り当てのみ、または両方を有してもよい。
【００４３】
本発明の実施形態は、ソフトウェア、つまり、移動局へ電力制御を提供することを目的とした動作を実行するよう、情報担持媒体に有形に具現化されて、デジタル・データ・プロセッサにより実行可能である機械可読命令のプログラムにあってもよい。このようなソフトウェアの実施形態は、UE/MS40に無線データ・チャネル上でのアップリンク・パケット伝送をスケジュールした後、プロセッサ44に、格納されたルックアップ表50にアクセスさせて、ゼロ電力割り当てまたはフル電力割り当てに関連付けられたビット・シーケンス54を決定させ、続いて、決定したビット・シーケンス54を含みスケジュール済みのアップリンク伝送64に関する電力制御メッセージ62を、UE/MS40aへ伝送させる。なお、プロセッサ44がUE/MS40をスケジュールする必要はないが、ルックアップ表50へのアクセスは、当該スケジュール（BTS30またはRNC10において行われればよい）の後に発生する。
【００４４】
ネットワーク関係の実施形態についてさらに考察すると、BTS30などの装置は、本発明の実施形態を、ビット・シーケンス54と電力割り当て52との関連付けを格納する手段を用いて実施するとよく、ここで、第１ビット・シーケンスはゼロ電力割り当てまたはフル電力割り当てに関連付けられ、第２ビット・シーケンスは明示的なゼロ以外の電力割り当てに関連付けられる。上で詳述したとおり、この格納手段は、光学、電子、磁気またはその他の技術など、任意のコンピュータ可読格納媒体46であればよく、格納媒体の種類は、本発明の新しい態様ではない。関連付けは、ルックアップ表50として格納されてもよく、ゼロ割り当ておよびフル割り当てのビット・シーケンス両方が格納されてもよいし、されなくてもよい。このネットワーク構成要素は、UE/MS40にアップリンク・データ・チャネルへの電力割り当てを命令するために、電力制御メッセージ62中で第１ビット・シーケンスを伝送する手段も有することになる。伝送手段は、第１ビット・シーケンス54を含めるために電力制御メッセージ62をコンパイルする、プロセッサ44とコンピュータ可読格納媒体46とにつながれた送受信機42として具現化されてもよい。第１ビット・シーケンスは、ゼロ割り当てに対応するものもフル割り当てに対応するものも、部分的には制御チャネルの電力に基づき選択される。これは、第１ビット・シーケンスがアップリンク制御電力に対するアップリンク・トラフィック電力の割合を伝えることを義務付けるためではなく、単にBTS30がその電力制御メッセージ62をアップリンク制御チャネルで使用された電力に基づかせることを義務付けるためである。制御チャネル上の電力を認識していないと、BTS30は、UE/MS40に対してゼロ電力を割り当てるかフル電力を割り当てるかを、信頼性を保ちながら決定することはできない。
【００４５】
ここで本発明のMS40の態様について考えると、一部の実施形態において、MS40は、データ・チャネル上のアップリンク伝送64に関する電力制御コマンド62を、BTS30などのネットワーク構成要素から受信する。MS40は、当該電力制御コマンド62から、ゼロ電力割り当てまたはフル電力割り当ての１つを決定する。なお、MS40がゼロ電力割り当ておよびフル電力割り当ての両方を決定できる必要はなく、表50は、これらのうち１つのみを含んでいてもよいし、両方を含んでいてもよい。決定された電力割り当てがゼロ電力割り当てである場合、MS40は、データ・チャネル上でのアップリンク伝送に関する新たな電力制御コマンドを受信するまで、データ・チャネル上での伝送64を延期する。上記のとおり、新たな電力制御コマンドは、最初に説明した電力制御コマンド62と同一の方法で届いても、または、相対グラント・チャネル上でUPコマンドとしてなど、異なる方法で届いてもよい（3GPP TS 25.321に対する今後の改定で、E-RGCH上でのゼロ電力割り当てからのUPコマンドが許可されなくなることも予想されるが）。MS40は、電力割り当てがフル電力割り当てであると決定すると、制御チャネル上の電力に関係なく、データ・チャネル上でユーザ・データ64を伝送する。MS40がルックアップ表50を使用する場合、その表はBTS30内で使用されているものと同じであればよく、上記の分散を全て有するとよい。
【００４６】
加えて、本発明のMS中心の態様は、MS40において伝送電力を制御することを目的とした動作を実行するよう、情報担持媒体に有形に具現化されて、デジタル・データ・プロセッサにより実行可能である機械可読命令のプログラムとして、ソフトウェアに具現化されてもよい。この状況で、移動局が、データ・チャネル上でのアップリンク伝送64に関する電力制御コマンド62をBTS30などのネットワーク構成要素から受信する。ソフトウェアは、電力制御コマンド62から、ゼロ電力割り当てまたはフル電力割り当ての１つを決定する。ゼロ電力割り当ての場合、ソフトウェアはMS40に、データ・チャネル上でのアップリンク伝送64に関する新たな電力制御コマンドを受信するまで、データ・チャネル上での伝送を延期させる。あるいは、決定された電力割り当てがフル電力割り当てである場合、ソフトウェアはMS40に、制御チャネル上の電力に関係なく、データ・チャネル上でユーザ・データ64を伝送させる。
【００４７】
一部の実施形態では、MS40は、データ・プロセッサ44と、ルックアップ表50およびデータ・プロセッサ44により実行可能なコンピュータ命令を格納する記憶装置46とにつながれた送受信機42を含むとよい。実行可能なコンピュータ命令は、データ・チャネル上でのアップリンク伝送に関する電力制御コマンド62を受信したときに、電力制御コマンド62および記憶装置46からゼロ電力割り当てまたはフル電力割り当ての１つを、プロセッサ44に決定させる。ゼロ電力割り当てが決定されると、データ・チャネル上でのアップリンク伝送64に関する新たな電力制御コマンドを受信するまで、データ・チャネル上での伝送は延期される。フル電力割り当てが決定されると、制御チャネル上の電力に関係なく、ユーザ・データ64がデータ・チャネル上で伝送される。
【００４８】
本発明の非ネットワークの実施形態は、第１ビット・シーケンスと、ゼロ電力割り当てまたはフル電力割り当てのいずれかとの関連付けを格納する手段を有する装置であればよい。加えてこの格納手段は、上で詳述した表50を格納する、上記のようなコンピュータ可読記憶装置46であってもよい。この装置は、データ・チャネル上でのアップリンク伝送64に関するゼロ電力割り当てまたはフル電力割り当てのいずれかを決定するために、電力制御メッセージ中で受信された第１ビット・シーケンスを用いて格納手段にアクセスする手段も含むことになる。装置は、決定された電力割り当てがゼロ電力割り当てである場合、データ・チャネル上でのアップリンク伝送に関する新たな電力制御コマンドを受信するまで、データ・チャネル上での伝送を延期する手段を有する。装置は、決定された電力割り当てがフル電力割り当てである場合、制御チャネル上の電力に関係なく、ユーザ・データをデータ・チャネル上で伝送する手段を有する。伝送延期手段または伝送手段のいずれかは、送受信機42につながれたプロセッサ44を含み得る。
【００４９】
「フル割り当て」は、UEがNode Bに近く、＋21dBより高い電力オフセットで伝送してよい場合に有益である。なお、本発明以前、Node Bスケジューラ32（またはRNC10スケジューラ）は、より高い電力オフセットを可能にするために利用できる手段を有さなかった。
【００５０】
本発明の例示的実施形態について前述した説明から、本発明の態様が、「ゼロ割り当て」指示および「フル割り当て」指示のうちの少なくとも１つをUE40へ信号で伝えるようネットワーク構成要素30を動作させる、方法、装置およびコンピュータ・プログラムに関するということがわかる。限定する意味のない実施形態では、「ゼロ割り当て」指示および「フル割り当て」指示のうちの少なくとも１つが、E-AGCH E-DPDCH/DPCCH電力比信号伝達用ビット54のうちの選択されたものを１つまたは複数使用し、信号で伝えられる。限定する意味のない実施形態において、E-AGCH E-DPDCH/DPCCH電力比信号伝達用ビットのうちの選択されたものとは、「ゼロ割り当て」指示および「フル割り当て」指示をそれぞれ信号で伝える、最小電力比インデックス（図示されているように、ビット・シーケンス00000など）および最大電力比インデックス（図示されているように、ビット・シーケンス11111など）である。
【００５１】
前述した本発明の例示的実施形態の説明から、本発明の別の態様が、「ゼロ割り当て」指示および「フル割り当て」指示のうちの少なくとも１つを示す信号伝達62に応答し、それに従ってアップリンク64の伝送電力を設定するようUE/MS40を動作させる、方法、装置およびコンピュータ・プログラムに関するということが、さらにわかる。限定する意味のない実施形態では、「ゼロ割り当て」指示および「フル割り当て」指示のうちの少なくとも１つは、E-AGCH E-DPDCH/DPCCH電力比を信号伝達する複数のビット54のうちの選択されたものを１つまたは複数使用し、UE/MS40へ信号で伝えられ、UE/MS40により認識される。限定する意味のない実施形態では、E-AGCH E-DPDCH/DPCCH電力比信号伝達用ビットのうちの選択されたものとは、「ゼロ割り当て」指示および「フル割り当て」指示をそれぞれ信号で伝える、最小電力比インデックス（ビット・シーケンス00000など）および最大電力比インデックス（図示されているように、ビット・シーケンス11111など）である。
【００５２】
前述の説明は、例示目的の限定する意味のない例として、現時点で本発明者らにより意図される、本発明を実施する最良の方法および装置の詳細な説明を十分に提供してきた。しかし、添付の図面と関連して前述の説明を読み、考慮すれば、当業者はすぐに種々の改変および適応を見出すであろう。ほんの数例として、他の特定の信号伝達用ビット（本来別の電力に対して相対的な電力を示すよう使用されるものであってもよく、そうでなくてもよい）、および／または、他の種類の信号伝達用メッセージを使用することが、当業者により試行されてもよい。さらに、「ゼロ割り当て」指示および「フル割り当て」指示のうちの少なくとも１つをUE40へ信号で伝えるためにE-AGCHを使用することは、本発明の教示の範囲内に入る。なお、本発明の教示の、前述の改変および同様の改変も全て、やはり本発明の範囲の中に含まれる。
【００５３】
さらに、本発明の例の一部の機能を、他の機能の使用を伴わずに使用して役立ててもよい。例えば、「電力比制限なし」を使用せずに、「ゼロ割り当て」機能を使用してもよく、逆も同じである。このように、上記の説明は、本発明の原理、教示、例および実施形態を説明するものに過ぎず、本発明を限定するものではないと見なされるべきである。
【００５４】
本発明の実施形態は、ハードウェアによって、またはソフトウェアとハードウェアとの組み合わせによってなど、MS40の、またはBTS30の、または、RNC10もしくは他の何らかのホスト・デバイスと組み合わせられたBTS30の、データ・プロセッサ44により実行可能なコンピュータ・ソフトウェアにより実装されてもよい。さらに、これに関連し、図4の論理流れ図にある種々のブロックは、プログラムステップ、または相互接続された論理回路、論理ブロックおよび論理機能、または、プログラムステップと、論理回路、論理ブロックおよび論理機能との組み合わせを表し得るということにも留意されたい。
【００５５】
１つまたは複数の記憶装置46は、MS40、BTS30またはRNC10のうちのどれにあるかに関わらず、ローカル技術環境に適した任意の種類でよく、半導体ベースの記憶デバイス、磁気記憶デバイスおよび磁気記憶システム、光学記憶デバイスおよび光学記憶システム、固定記憶装置および取り外し可能な記憶装置など、任意の適切なデータ格納技術を使用して実装されるとよい。データ・プロセッサ44は、ローカル技術環境に適した任意の種類でよく、限定する意味のない例として、汎用コンピュータ、専用コンピュータ、マイクロプロセッサ、デジタル信号プロセッサ（DSP：digital signal processor）およびマルチコア・プロセッサ構造に基づくプロセッサのうち、１つまたは複数を含むとよい。
【００５６】
一般的に、ハードウェア、もしくは専用回路、専用ソフトウェア、専用論理回路、またはそれらの任意の組み合わせで、種々の実施形態が実現され得る。例えば、一部の態様をハードウェアにおいて実現する一方、他の態様を、制御装置、マイクロプロセッサまたはその他のコンピュータ・デバイスにより実行可能なファームウェアまたはソフトウェアで実現してもよいが、本発明はこれに限定はされない。本発明の種々の態様は、ブロック図、流れ図として、または他の図的表現を使用して示し説明できるが、当然のことながら、本願明細書で説明されたこれらのブロック、装置、システム、技術または方法は、限定する意味のない例として、ハードウェア、ソフトウェア、ファームウェア、専用回路もしくは専用論理、汎用ハードウェアもしくは汎用制御装置、またはその他のコンピュータ・デバイス、またはそれらの何らかの組み合わせにおいて実現され得る。
【００５７】
本発明の実施形態は、集積回路モジュールなどの種々の構成要素において実施され得る。集積回路の設計は全般的にみて、高度に自動化されたプロセスである。論理レベルの設計を、半導体基板上にすぐにエッチングおよび形成可能な半導体回路設計に変換するために利用できる、複雑かつ強力なソフトウェア・ツールが複数ある。
【００５８】
カリフォルニア州マウンテン・ビュー（Mountain View，California）のシノプシス社（Synopsys，Inc．）、およびカリフォルニア州サンノゼ（San Jose，California）のケイデンス・デザイン（Cadence Design）により提供されているようなプログラムは、確立された設計ルール、ならびに記憶済みの設計モジュールのライブラリを使用して、自動的に半導体チップ上に導体を経路付けし、構成要素を位置付ける。半導体回路の設計が完了すれば、結果として生じた設計が、製造用に半導体加工施設、つまり「fab（生産工場）」へ、標準化された電子形式（例えばOpus、GDSII、または同種のものなど）で伝送されればよい。
【００５９】
特定の実施形態に照らして説明したが、当業者であれば、これらの教示に対して複数の改変および種々の変更を生じ得ることがすぐに分かるであろう。そのため、当業者には当然のことながら、本発明をその１つまたは複数の実施形態について詳しく示し説明してきたものの、上記で説明した本発明の範囲および意図、または続く特許請求の範囲を逸脱することなく、一定の改変および変更が加えられてもよい。
【図面の簡単な説明】
【００６０】
【図１】本発明の実施形態に基づき動作する構成要素を示す、システム・レベルのブロック図である。
【図２】図1のUEとNode Bとの間の、例示的なダウンリンク信号伝達およびアップリンク信号伝達、ならびにデータ・フローである。
【図３】UEおよびNode Bに格納されるとよい、本発明の実施形態に従った例示的なルックアップ表である。ただし、以下の説明の便宜上、追加のインデックス番号欄を備えている。
【図４】本発明の実施形態に従ったステップを示すプロセス図である。
【図１】
2008541596.tif 000003
【図２】
2008541596.tif 000004
【図３】
2008541596.tif 000005
【図４】
2008541596.tif 000006
【国際調査報告】
2008541596.tif 000007
2008541596.tif 000008
2008541596.tif 000009
2008541596.tif 000010